(57)【要約】【課題】  ホログラムで記録された情報を読み取る際、ホログラムと読取装置の位置合わせが簡単にでき、また、ホログラムが用紙などに形成された場合、用紙のカールやしわなどを矯正し、効果的に情報を読み取ることができることを課題とする。【解決手段】  ハウジング２０に設けられた底板２２で用紙１２を押接し、窓部２８から目視しながら、開口部２４から光記録媒体１４を露出させて照準２６と照準１８を合わせることで、ホログラム再生条件の参照光が開口部に照射され、読取装置３６によってホログラムで回折し形成されたホログラム像から情報が読み取られる。このように、底板２２で用紙１２を押接することで、底板２２が用紙に密接して、用紙１２のカール、しわ、たわみ、めくれ、浮き等が矯正される。これによって、光源３２からは、ホログラムの再生条件を満たした参照光が光記録媒体１４に照射されるので、この参照光は光記録媒体１４に形成されたホログラムで回折して、そのホログラム像が読取装置３６で正確に読み取られる。【選択図】    図１
2005267552.tif 000002
【特許請求の範囲】
【請求項１】
光記録媒体に記録されたホログラムに参照光を照射する光源と、
前記ホログラムで回折され形成されたホログラム像から情報を読み取る読取部と、
前記光源と前記読取部とを備えた筐体と、
前記筐体に設けられ、前記用紙を押接する押接部と、
前記押接部に形成され、前記光記録媒体を露出し、前記参照光が照射される開口部と、
前記開口部の周囲に形成され、前記光記録媒体に記録された光記録媒体照準と合わせることでホログラム像再生条件とする照準と、
前記筐体に設けられ、前記照準と前記光記録媒体照準を目視できる窓部と、
を有することを特徴とする光学情報読取装置。
【請求項２】
前記窓部に替えて、前記筐体を透明な部材で形成することを特徴とする請求項１に記載の光学情報読取装置。
【請求項３】
前記光記録媒体照準はホログラムとされており、前記窓部には、該ホログラムで回折されて形成された前記光記録媒体照準のホログラム像が表示されると共に、前記ホログラム像と位置を合わせる位置合わせ部が形成されたことを特徴とする請求項１に記載の光学情報読取装置。
【請求項４】
前記筐体は、前記押接部に対して上下にスライド可能とされ、前記押接部又は前記筐体には、前記筐体を前記押接部に対して下降させたときに前記光源をオン状態とするスイッチが設けられたことを特徴とする請求項１〜請求項３のいずれか１項に記載の光学情報読取装置。
【請求項５】
前記光源及び前記読取部は、前記押接部に設置されたことを特徴とする請求項４に記載の光学情報読取装置。
【請求項６】
前記開口部に対する参照光の入射方向が異なる光源を、２つ以上設置したことを特徴とする請求項１〜請求項５のいずれか１項に記載の光学情報読取装置。
【請求項７】
前記光源は、他の光源から照射された参照光が前記ホログラムで反射された反射光の進行方向とは異なる位置に配置されていることを特徴とする請求項６に記載の光学情報読取装置。
【発明の詳細な説明】
【技術分野】
【０００１】
本発明は、記録媒体にホログラム等で記録された情報を読み取る光学情報読取装置に関する。
【背景技術】
【０００２】
プリペイドカード、クレジットカード、キャッシュカード、証明用カードなどでは、不正に偽造・変造されていないかどうかを識別する必要がある。これを識別する一つの方法として、クレジットカードや銀行カード等にはホログラムが記録され、そのホログラムを読み取ることが行われている。また、ギフトカード等においても、見る角度によって文字や数字、絵柄などが変化するホログラムが、偽造対策として施されている。この、ホログラムは、大容量で高速転送可能な記録媒体として有望とされている。
【０００３】
図９（Ａ）に示すように、例えばカード１０２に記録されたホログラム１０４を読み取る装置として、読取装置１００をカード１０２上に載せ、参照光をホログラム１０４に照射するものが開示されている（特許文献１参照）。
【０００４】
この読取装置１００は、参照光を照射する光源１０６を備えており、この光源１０６からホログラム１０４に向けて参照光を照射し、ホログラム１０４で回折し形成されたホログラム像をスクリーン１０８に表示させて読み取るものである。この読取装置１００には、ホログラム１０４が読取装置１００に対して読み取り可能な位置にあるとき、ホログラム１０４で反射した光が入射する位置に拡散部材１１０が設けられている。そして、拡散部材１１０が明るくなるように読取装置１００の位置を調整することで、カード１０２に記録されているホログラム像がスクリーン１０８に表示されるようになっている。
【０００５】
しかし、この読取装置１００において、ホログラム１０４で反射する光と、ホログラム１０４で回折し形成されたホログラム像を分離するための折り返し光学系（ミラー１１２、１１４、１１６）が必要となり、部品点数の増加に繋がっている。
【０００６】
そこで、特許文献１には、図９（Ｂ）に示すように、カード１０２からホログラム１０４の情報が読み取り可能となる位置にホログラム１０４の位置を規制する当接部１１８を読取装置１３０のハウジング１２０に形成し、この当接部１１８にカード１０２の端部１０２Ａを当てて位置決めを行う構成も開示されている。しかし、カード１０２の端部１０２Ａを当接部１１８に当てたとき、光源１０６からの参照光が入射する位置にホログラム１０４をカード１０２に配置する必要がある。すなわち、ホログラム１０４が形成される領域（情報が記録される領域）は、当接部１１８に対して決まった位置（カード１０２の端部から同じ位置）でなければならない。
【０００７】
一方、光記録媒体を形成し、さまざまな情報をこの光記録媒体にホログラムで記録するものがある。この技術の応用例としては、例えばプリンター等で印刷された用紙上に光記録媒体を形成し、この光記録媒体に識別情報や印刷情報などの情報をホログラムで記録させるものがある。またこのほかにも、多岐にわたる応用が考えられる。そして、ホログラムで記録された情報を読取装置で読み取ることで、記録された情報を利用することができるようになっている。
【０００８】
しかし、この場合、ホログラムは用紙に対して常に決まった位置に形成されているとは限らず、ホログラムに対して読取装置を読取可能な位置に調整する必要がある。特許文献１のように、常に決まった位置にホログラムが形成されている場合は、図９（Ｂ）のような当接部を読取装置に設けることで、読取装置とホログラムとの位置合わせが簡単にできるが、ホログラムが決まった位置に形成されていない場合には、ホログラムに対して読取装置の位置を合わせることが難しい。また、ホログラムは記録時と同じ照射角度・照射方向から参照光を入射した際に再生されるが、ホログラムが用紙などに形成された場合、用紙がカールしたり、しわ、たわみ、めくれ、浮きなどによって、読取装置の光源から照射された参照光がホログラムに入射する角度が、ホログラムを再生する条件と一致しない場合があり、このときホログラムは再生されない。
【特許文献１】特開２０００−１９４７９４号公報
【発明の開示】
【発明が解決しようとする課題】
【０００９】
本発明は上記事実を考慮し、ホログラムで記録された情報を読み取る際、ホログラムと読取装置の位置合わせが簡単にでき、また、ホログラムが用紙などに形成された場合、用紙のカールやしわなどを矯正し、効果的に情報を読み取ることができることを目的とする。
【課題を解決するための手段】
【００１０】
請求項１に記載の発明は、光記録媒体に記録されたホログラムに参照光を照射する光源と、前記ホログラムで回折され形成されたホログラム像から情報を読み取る読取部と、前記光源と前記読取部とを備えた筐体と、前記筐体に設けられ、前記用紙を押接する押接部と、前記押接部に形成され、前記光記録媒体を露出し、前記参照光が照射される開口部と、前記開口部の周囲に形成され、前記光記録媒体に記録された光記録媒体照準と合わせることでホログラム像再生条件とする照準と、前記筐体に設けられ、前記照準と前記光記録媒体照準を目視できる窓部と、を有することを特徴としている。
【００１１】
請求項１に記載の発明によれば、筐体に設けられた押接部で用紙を押接し、窓部から目視しながら、開口部から記録媒体を露出させて照準と光記録媒体照準を合わせることで、ホログラム再生条件の参照光が開口部に照射され、読取部によってホログラムで回折し形成されたホログラム像から情報が読み取られる。
【００１２】
このように、用紙に設けられた光記録媒体に記録されたホログラムの情報を読み取る際に、筐体に設けられた押接部で用紙を押接することで、押接部が用紙に密接して、用紙のカール、しわ、たわみ、めくれ、浮き等が矯正される。これによって、光源からは、ホログラムの再生条件を満たした参照光が光記録媒体に照射されるので、この参照光は光記録媒体に形成されたホログラムで回折して、そのホログラム像が読取部で正確に読み取られる。
【００１３】
このように、部品点数を増やすことなくホログラムの情報を正確に読み取ることができるので、構造が簡単で、低コストで製作できる光学情報読取装置が得られる。
【００１４】
また、押接部を回動させ、開口部の周囲に形成された照準を光記録媒体に記録された光記録媒体照準に合わせることで、参照光の入射方向がホログラム再生条件となる。従って、ホログラムが記録された光記録媒体が用紙のどの位置に設けられていても、照準と光記録媒体照準とで位置合わせをすればホログラムを簡単に再生することができる。
【００１５】
請求項２に記載の発明は、前記窓部に替えて、前記筐体を透明な部材で形成することを特徴としている。
【００１６】
請求項２に記載の発明によれば、筐体を透明な部材で形成することで、筐体に窓部を設けなくても筐体内部が観察できる。これにより、筐体の外から目視で照準と光記録媒体照準とを合わせることができる。
【００１７】
請求項３に記載の発明は、前記光記録媒体照準はホログラムとされており、前記窓部には、該ホログラムで回折されて形成された前記光記録媒体照準のホログラム像が表示されると共に、前記ホログラム像と位置を合わせる位置合わせ部が形成されたことを特徴としている。
【００１８】
請求項３に記載の発明によれば、ホログラムの光記録媒体照準に参照光を照射して、ホログラムで回折したホログラム像を窓部に表示させ、窓部に形成された位置合わせ部と位置合わせをすることで、参照光の入射方向がホログラム再生条件となる。
【００１９】
請求項４に記載の発明は、前記筐体は、前記押接部に対して上下にスライド可能とされ、前記押接部又は前記筐体には、前記筐体を前記押接部に対して下降させたときに前記光源をオン状態とするスイッチが設けられたことを特徴としている。
【００２０】
請求項４に記載の発明によれば、押接部に対して上下にスライド可能とされた筐体を用紙に近づけるようにスライドさせたとき、例えば筐体又は押接部に設けられたスイッチが筐体と押接部に挟まれて、光源がオン状態となる。これにより、スイッチのオン・オフを簡単に行うことができる。
【００２１】
請求項５に記載の発明は、前記光源及び前記読取部は、前記押接部に設置されたことを特徴としている。
【００２２】
請求項５に記載の発明によれば、光源及び読取部を押接部に設置することで、押接部に対して筐体をスライドさせても光源及び読取部の位置は開口部に対してずれない。このため、筐体のスライド量を考慮して光源、読取部を配置する必要がないため、光学情報読取装置の組み立てが容易になる。
【００２３】
請求項６に記載の発明は、前記開口部に対する参照光の入射方向が異なる光源を、２つ以上設置したことを特徴としている。
【００２４】
請求項６に記載の発明によれば、開口部に対する参照光の入射方向が異なる光源は２つ以上設置されており、それぞれの光源から参照光が開口部から露出された光記録媒体に照射される。これにより、開口部から光記録媒体を露出させるだけで、光記録媒体の回転方向の位置合わせをしなくても、複数の光源から照射されたいずれかの参照光が光記録媒体に記録されたホログラムの再生条件と一致して、ホログラムが再生される。
【００２５】
請求項７に記載の発明は、前記光源は、他の光源から照射された参照光が前記ホログラムで反射された反射光の進行方向とは異なる位置に配置されていることを特徴としている。
【００２６】
請求項７に記載の発明によれば、他の光源から照射された参照光が、ホログラムで反射された反射光と進行方向が異なるように、光源を配置する。これにより、反射型ホログラムを再生する参照光を照射する光源が存在しないので、ノイズ源である反射型ホログラムは再生されることがなく、ノイズが発生する恐れがない。
【発明の効果】
【００２７】
本発明は上記構成としたので、ホログラムで記録された情報を読み取る際、ホログラムと読取装置の位置合わせが簡単にでき、また、ホログラムが用紙などに形成された場合、用紙のカールやしわなどを矯正し、効果的に情報を読み取ることができる。
【発明を実施するための最良の形態】
【００２８】
本発明の第１の実施形態に係る光情報読取装置１０について説明する。
【００２９】
図１に示すように、用紙１２上には、画像や文字等の情報が形成された位置を避けるようにして、光記録媒体１４が形成されており、この光記録媒体１４には、ホログラム１６によって文字や画像等の情報が記録されている。また、ホログラム１６の周辺には、十字状の照準１８が形成されている。
【００３０】
ここで、このような用紙１２上に形成された光記録媒体１４に記録されたホログラム１６の情報を読み取る光情報読取装置１０について説明する。
【００３１】
光情報読取装置１０は、略矩形箱状のハウジング２０を備えている。ハウジング２０の開口側には平板状の底板２２が設けられており、用紙１２上に光情報読取装置１０を載置した際、底板２２が用紙１２に密接して用紙１２を押さえる構成となっている。
【００３２】
底板２２の略中央部分には、円形状の開口部２４が形成されている。図２に示すように、光情報読取装置１０を用紙１２上に載置したとき、この開口部２４から用紙１２上の光記録媒体１４が露出されるようになっている。なお、開口部２４は、必ずしも底板２２の略中央部分に形成する必要はなく、底板２２のどの位置に形成されていても構わない。また、開口部２４の形状は、円形状に限定されるものではなく、用紙１２上に形成された光記録媒体１４を露出させることができる大きさであれば、どのような形状で形成してもよく、光記録媒体１４の形状と開口部２４の形状を一致させてもよい。
【００３３】
開口部２４の周辺には十字状の照準２６が形成されている。光情報読取装置１０を用紙１２上に載置して、開口部２４から用紙１２上に形成された光記録媒体１４を露出させる。このとき、照準２６を光記録媒体１４に記録された照準１８と合わせる。これによって、参照光の入射方向が光記録媒体１４に記録されたホログラム１６の再生条件となるので、光源３２から光記録媒体１４に参照光を照射すると、ホログラム１６で参照光が回折されてホログラム像となり、読取装置３６へ入射するようになっている。なお、本実施形態では、十字状の照準としたが、照準はこの形状に限定されるものではない。
【００３４】
また、ハウジング２０の上面２０Ａには、円形状の窓部２８が形成されている。この窓部２８には透明基板３０がはめられており、透明基板３０を通してハウジング２０の内部を目視できるようになっている。用紙１２上に底板２２を載置して、開口部２４から用紙１２上の光記録媒体１４を露出させる際、窓部２８からハウジング２０の内部を観察しながら、開口部２４の照準２６と光記録媒体１４の照準１８を目視で合わせる。なお、窓部２８には必ずしも透明基板３０を設ける必要はない。しかし、透明基板３０等で窓部２８を封鎖しておくことで、ハウジング２０内を密閉状態とすることができ、ハウジング２０内に塵や埃などが入り込むのを防ぐことができる。
【００３５】
また、本実施形態では、窓部２８をハウジング２０の上面２０Ａに形成したが、ハウジング２０内部を目視できれば、窓部２８はハウジング２０の側壁に形成してもよく、形状も円形状に限定されるものではない。さらに、ハウジング２０全体を透明な部材で形成すれば、ハウジング２０の内部を目視できるので、ハウジング２０に窓部を形成する必要はない。
【００３６】
ハウジング２０内には、開口部２４に向けて参照光を照射する光源３２が設けられている。光源３２は、開口部２４に対して所定の角度で参照光を照射するように、ハウジング２０に対して斜めに配置されている。
【００３７】
ハウジング２０の上面２０Ａには、スイッチ３４が設けられている。スイッチ３４は光源３２に接続されており、スイッチ３４をオンにすると、光源３２から参照光が照射されるようになっている。なお、スイッチ３４を設置する場所は、ハウジング２０の上面２０Ａに限定されず、ハウジング２０の側面などに設置してもよい。
【００３８】
また、ハウジング２０内には、ＣＣＤ撮像素子からなる読取装置３６が設置されている。光源３２から照射された参照光が、開口部２４から露出した光記録媒体１４に記録されたホログラム１６で回折し、ホログラム像が入射する位置に読取装置３６が設けられている。読取装置３６に入射したホログラム像は、読取装置３６によって光信号がデジタル信号に変換される。そして、ハウジング２０に接続されているパソコン３８の画面に、ホログラム１６で記録された情報が表示されるようになっている。なお、図中では、ホログラム１６内に情報（ここでは、「Ａ」とした）を表示したが、この情報はホログラムで記録されているため、実際には視認できない。
【００３９】
次に、本発明の第１の実施形態に係る作用について説明する。
【００４０】
図２に示すように、用紙１２上の光記録媒体１４を開口部２４から露出させるようにして、用紙１２上に光情報読取装置１０を載置し、光情報読取装置１０のハウジング２０の底板２２を用紙１２に密接させる。そして、窓部２８からハウジング２０の内部を目視しながら、光記録媒体１４に記録された照準１８と開口部２４に形成された照準２６が合うように、光情報読取装置１０を回転させる。
【００４１】
照準２６と照準１８の位置を合わせた後、スイッチ３４をオンにして、光源３２から開口部２４に向けて参照光を照射する。開口部２４からは用紙１２上の光記録媒体１４が露出しており、光記録媒体１４に参照光が照射される。そして、光記録媒体１４に記録されたホログラム１６によって参照光は回折され、ホログラム像が読取装置３６に入射する。読取装置３６によって光信号がデジタル信号に変換され、光情報読取装置１０に接続されたパソコン３８の画面３８Ａにホログラム１６の情報が表示される。
【００４２】
このように、用紙１２に形成された光記録媒体１４に記録されたホログラム１６の情報を読み取る際に、ハウジング２０の底板２２を用紙１２に密接させることで、用紙１２のカール、しわ、たわみ、めくれ、浮き等が矯正される。これにより、開口部２４から露出した光記録媒体１４には、光記録媒体１４に記録されたホログラム１６の再生条件を満たした参照光が照射され、ホログラム１６の情報が再生される。
【００４３】
また、部品点数を増やすことなくホログラム１６の情報を正確に再生することができるので、構造が簡単で、且つ低コストで製作できる光情報読取装置１０が得られる。
【００４４】
さらに、開口部２４の周囲に形成された照準２６を、光記録媒体１４に記録された照準１８に合わせることで、参照光の入射方向がホログラム再生条件となる。従って、ホログラム１６が記録された光記録媒体１４が用紙１２のどの位置に設けられていても、簡単にホログラム１６を再生することができる。
【００４５】
次に、本発明の第２の実施形態に係る光情報読取装置４０について説明する。なお、第１の実施形態と同様の部分についての説明は割愛する。
【００４６】
図３（Ａ）に示すように、窓部４２には、十字状の照準４６が形成されている。また、用紙１２上の光記録媒体１４にも、十字状の光記録媒体照準４４がホログラムで記録されている。光源３２から光記録媒体１４に参照光を照射し、光情報読取装置４０を回転、及び、移動して位置合わせをする。そして、参照光がホログラム再生条件を満足する入射方向と一致すると、ホログラムで回折した光記録媒体照準４４のホログラム像４４Ａは窓部４２へ入射し、図３（Ｂ）に示すように、窓部４２に十字状のホログラム像４４Ａを表示させる。これによって、参照光の入射方向がホログラム像の再生条件となるので、光源３２から光記録媒体１４に参照光を照射すると、情報として記録されたホログラム１６で回折され形成されたホログラム像は読取装置３６へ入射する。なお、本実施形態では、十字状の光記録媒体照準としたが、光記録媒体照準はこの形状に限定されなく、光源３２に対して光記録媒体１４の位置決めができれば、どのような形状でも構わない。
【００４７】
なお、本実施形態では、位置合わせの際に光情報読取装置４０を用紙１２に対して回転、移動させたが、光情報読取装置４０を固定させておき、用紙１２側を回転、移動させてもよい。
【００４８】
また、図中では、光記録媒体照準４４及びホログラム１６内の情報（「Ａ」）を表示したが、光記録媒体照準４４及び情報はホログラムで記録されているため、実際には視認できない。
【００４９】
次に本発明の第２の実施形態に係る作用について説明する。
【００５０】
図３（Ｂ）に示すように、用紙１２上の光記録媒体１４を開口部２４から露出させるようにして、用紙１２上に光情報読取装置４０を載置し、光情報読取装置４０のハウジング２０の底板２２を用紙１２に密接させる。そして、スイッチ３４をオンにして、光源３２から開口部２４に向けて参照光が照射される。このとき、窓部４２には、光記録媒体１４に記録された光記録媒体照準４４が表示され、この表示された照準４４Ａに窓部４２に形成された照準４６を合わせると、参照光は光記録媒体１４に記録されたホログラム１６の再生条件と一致して、ホログラム１６によって回折されホログラム像が形成される。このホログラム像は読取装置３６に入射し、読取装置３６によって光信号がデジタル信号に変換されて、光情報読取装置４０に接続されたパソコン３８（図１参照）の画面に表示される。
【００５１】
次に、本発明の第３の実施形態に係る光情報読取装置５０について説明する。なお、第１の実施形態と同様の部分についての説明は割愛する。
【００５２】
図４（Ａ）に示すように、光情報読取装置５０は、略矩形箱状のハウジング５２を備えている。ハウジング５２の開口側の側壁には段壁５４が形成されており、段壁５４の先端部には係止部材５６が設けられている。
【００５３】
また、ハウジング５２の開口側には、開口部を覆う大きさの平板状の押接部材５８が配設されている。押接部材５８の下面の端部には段部６０が形成されており、段部６０は係止部材５６に係合されるようになっている。さらに、図示しないガイド部材が上下方向に配設されており、ハウジング５２は押接部材５８に対して接近及び離間する方向にスライド可能となっている。なお、押接部材５８は、段部６０の壁部６０Ａが係止部材５６に係止されることで上方に持ち上げられる。
【００５４】
押接部材５８の上面の端部には、後述する光源６２をオン、オフするスイッチ６１が設けられている。スイッチ６１は、ハウジング５２の係止部材５６に押接部材５８の段部６０を係合させたとき、ハウジング５２の段壁５４の段壁５４Ａと押接部材５８の上面の端部の間に位置する。そして、図４（Ｂ）に示すように、ハウジング５２を用紙１２に近づける方向にスライドさせて用紙１２に押し付けたとき、段壁５４Ａによってスイッチ６１が押圧される構成となっている。スイッチ６１が押圧されると光源６２がオンになり、光源６２から参照光が開口部６４に向けて照射される。さらに、スイッチ６１が押圧状態を解除されると、光源６２はオフになる。
【００５５】
段壁５４Ａと押接部材５８の上面の端部にはコイルばね６６が取り付けられており、ハウジング５２は押接部材５８から離れる方向に付勢されている。
【００５６】
一方、押接部材５８の略中央部分には、円形状の開口部６４が形成されており、用紙１２上に光情報読取装置５０を載置したとき、開口部６４から用紙１２上に形成された光記録媒体１４が露出されるようになっている。
【００５７】
ハウジング５２には、開口部６４に参照光を照射する光源６２、及び開口部６４に照射された参照光が開口部６４から露出している用紙１２上の光記録媒体１４のホログラムによって回折された光が入射する読取装置６８が取り付けられている。ハウジング５２が用紙１２に対して近づく方向へスライドすると、光源６２及び読取装置６８も用紙１２に対して近づく方向へ移動する。そして、ハウジング５２を用紙１２に対して近づける方向へスイッチ６１がオンになるまでスライドさせたとき、光源６２及び読取装置６８と開口部６４の位置決めがされ、光源６２からは開口部６４に向かって参照光が照射されるようになっている。
【００５８】
次に、本発明の第３の実施形態の作用について説明する。
【００５９】
図４（Ｂ）に示すように、ハウジング５２を用紙１２に向かってスライドさせたとき、押接部材５８に設けられたスイッチ６１によって、光源６２がオンとなる。これにより、スイッチ６１のオン・オフの操作が簡単になる。
【００６０】
次に、本発明の第４の実施形態に係る光情報読取装置７０について説明する。なお、第１の実施形態及び第３の実施形態と同様の部分についての説明は割愛する。
【００６１】
図５（Ａ）に示すように、光源７２及び読取装置７４は、押接部材５８に設けられた支持部材７６、７８にそれぞれ設置されている。これにより、図５（Ｂ）に示すように、ハウジング５２を押接部材５８に対してスライドさせても、光源７２及び読取装置７４は移動せず、常に同位置にある。そして、第３の実施形態と同様の構成でスイッチ６１が段壁５４に押されると、光源７２からは参照光が開口部６４に向けて照射されるようになっている。
【００６２】
次に、本発明の第４の実施形態の作用について説明する。
【００６３】
図５（Ｂ）に示すように、光源７２及び読取装置７４を押接部材５８に設置することで、押接部材５８に対してハウジング５２をスライドさせても光源７２及び読取装置７４の位置は開口部６４に対してずれない。これにより、光源７２からは、開口部６４から露出された光記録媒体１４に、ホログラムを再生する条件を満たした参照光が照射される。
【００６４】
次に、本発明の第５の実施形態に係る光情報読取装置８０について説明する。なお、第１の実施形態と同様の部分についての説明は割愛する。
【００６５】
図６（Ｂ）に示すように、ハウジング２０には、開口部２４を中心とした同心円上に、４０度間隔で９個の光源８２が設けられている。すなわち、開口部２４の中心線と直交する水平面に対して、光源８２は互いに対称とならない位置に配置されている。そして、それぞれの光源８２からは開口部２４に向けて異なる方向から参照光が照射される。なお、図中では、ホログラム１６内に情報（「Ａ」）を表示したが、この情報はホログラムで記録されているため、実際には視認できない。
【００６６】
次に、本発明の第５の実施形態の作用について説明する。
【００６７】
ホログラムには、記録時に参照光の照射方向を回転させて多重記録させてあるものがある。多重記録されたホログラムは、回転方向の位置合わせをスムーズに行うことができる。しかし、多重記録は記録条件が複雑で手間がかかってしまうので、現実には多重記録されていないホログラムが多く利用されている。このような多重記録されていないホログラムに対しては、参照光を異なる照射方向から複数照射することで、ホログラムが再生される。
【００６８】
図６（Ａ）に示すように、複数個（本実施形態では９個）の光源８２から同時に参照光を開口部２４へ向けて照射することで、開口部２４から光記録媒体１４を露出させるだけで、光記録媒体１４の回転方向の位置合わせをしなくても、９個の光源８２から照射されたいずれかの参照光がホログラムの再生条件と一致してホログラムが再生される。
【００６９】
また、図７（Ａ）に示すように、あらかじめ用紙１２上に反射層８４を設け、その反射層８４に光記録媒体８６を形成して、光記録媒体８６に信号光８８と参照光９０を照射して、光記録媒体８６に透過型ホログラムを記録するものがある。
【００７０】
しかし、このように反射層８４を用いる場合には、図７（Ｂ）に示すように透過型ホログラムを記録する際に照射する参照光９０が反射層８４で反射され、反射光９２が発生する。そして、この反射光９２と信号光８８により、光記録媒体８６に反射型ホログラムが記録されてしまう。つまり、用紙１２上に反射層８４を設け、その上に形成した光記録媒体８６に透過型ホログラムを記録した場合は、透過型ホログラムと反射型ホログラムとが同時に記録されてしまう。そして、図７（Ｃ）に示すように、この透過型ホログラムと反射型ホログラムとが記録されたホログラムに、透過型ホログラムを記録したときと同じ照射方向から参照光９０を照射すると、透過型ホログラムが再生される（一点鎖線で図示）。しかし、図７（Ｄ）に示すように、ホログラムを中心として参照光９０（図７（Ｃ）参照）と対称となる方向から参照光９３が入射すると、反射型ホログラムが再生されてしまう（二点鎖線で図示）。この反射型ホログラムの再生像がノイズとなって、透過型ホログラムの再生像を劣化させてしまう。
【００７１】
そこで、本実施形態では、図６（Ｂ）に示すように、それぞれの光源８２を、他の光源８２から発射された光が反射層８４（図７参照）で反射された反射光の進行方向とは異なる位置に配置されるように、４０度間隔で９個配置する。これにより、図７（Ｄ）に示すような、反射型ホログラムを再生する参照光を照射する光源は存在しないので、ノイズ源である反射型ホログラムは再生されることがなく、ノイズが発生する恐れがない。
【００７２】
なお本実施形態においては光源を４０度間隔で９個配置したが、それぞれの光源８２が、他の光源８２から発射された光が反射層８４で反射された反射光の進行方向とは異なる位置に配置してあれば、光源８２の数はいくつでも構わない。また、このとき、それぞれの光源８２の間隔は等間隔でなくても構わない。
【００７３】
さらに、図８に示すように、マウス形状のハウジング９４に窓部９６を形成し、窓部９６からハウジング９４内部を観察しながら、図示しないハウジング９４の底部に形成された開口部と、用紙９７に記録された光記録媒体９８との位置合わせを行い、ハウジング９４内に設置された光源から光記録媒体９８に参照光を照射して、光記録媒体９８に記録されたホログラムの情報を読み取る構成としてもよい。
【図面の簡単な説明】
【００７４】
【図１】本発明の第１の実施形態に係る光情報読取装置を示す斜視図である。
【図２】本発明の第１の実施形態に係る光情報読取装置を用紙上に載置した状態を示す斜視図である。
【図３】（Ａ）本発明の第２の実施形態に係る光情報読取装置を示す斜視図であり、（Ｂ）光情報読取装置を用紙上に載置した状態を示す斜視図である。
【図４】（Ａ）本発明の第３の実施形態に係る光情報読取装置を示す断面図であり、（Ｂ）光情報読取装置を用紙上に載置した状態を示す断面図である。
【図５】（Ａ）本発明の第４の実施形態に係る光情報読取装置を示す断面図であり、（Ｂ）光情報読取装置を用紙上に載置した状態を示す断面図である。
【図６】（Ａ）本発明の第５の実施形態に係る光情報読取装置を示す斜視図であり、（Ｂ）正面図である。
【図７】（Ａ）〜（Ｄ）用紙上に反射層と記録媒体を形成し、透過型ホログラムを記録する場合の説明図である。
【図８】本発明の第１の実施形態に係る光読取装置において、その他の実施形態を示す斜視図である。
【図９】従来技術の光読取装置の説明図である。
【符号の説明】
【００７５】
１０  光情報読取装置
１２  用紙
１４  光記録媒体
１６  ホログラム
１８  照準（光記録媒体照準）
２０  ハウジング（筐体）
２２  底板（押接部）
２４  開口部
２６  照準
２８  窓部
３２  光源
３６  読取装置（読取部）
４０  光情報読取装置
４４  光記録媒体照準
４４Ａ  照準
４６  照準
５０  光情報読取装置
５２  ハウジング（筐体）
５８  押接部材（押接部）
６１  スイッチ
６２  光源
６８  読取装置（読取部）
７０  光情報読取装置
７２  ハウジング（筐体）
７４  押接部材（押接部）
８０  光情報読取装置
８２  光源
【図１】
2005267552.tif 000003
【図２】
2005267552.tif 000004
【図３】
2005267552.tif 000005
【図４】
2005267552.tif 000006
【図５】
2005267552.tif 000007
【図６】
2005267552.tif 000008
【図７】
2005267552.tif 000009
【図８】
2005267552.tif 000010
【図９】
2005267552.tif 000011